【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
医療診断又は処理の形式に関連したワークフローステージの規定セットを含むワークフローテンプレートを記憶するステップであって、各ワークフローステージが、1つ以上の実行されるべき画像処理動作、１つ以上の要求された入力、および各ワークフローステージにおいて発生されるべき１つ以上の出力と、を規定しているステップと、
前記ワークフローテンプレートを、患者の医療画像データに前記ワークフローステージを連続的に適用して、１つ以上のワークフローステージに対応する１つ以上のシーンを有するワークフローシーンを発生するステップであって、
前記ワークフローテンプレートを適用するステップが、
前記ワークフローテンプレートの第１のワークフローステージによって要求された１つ以上の入力を用いて前記医療画像データ上で１つ以上の第１の動作を遂行して前記医療画像データの第１の画像ビューを表す第１のシーンをレンダリングし、かつ第１のメタデータを発生するステップと、
前記ワークフローテンプレートの第２のワークフローステージによって要求された１つ以上の入力および前記第１のメタデータを用いて前記医療画像データに基づいて１つ以上の第２の動作を遂行して前記医療画像データの第２の画像ビューを表す第２のシーンをレンダリングするステップを含んでおり、この場合、前記第１のワークフローステージから発生された前記第１のメタデータは、ズーミング、ビュー投射、前記第１ステージからのデータ除去、データの定量化、およびビューリフォーマットの少なくとも１つを含む、前記第２のワークフローステージにより前記医療画像データを処理するためのパラメータおよびインストラクションの少なくとも１つを含んでおり、前記第２の画像ビューは、前記第１の画像ビューによって表示される医療画像データとは異なるビューを表示しており、
さらに、第１のパネルにおいて複数のアイコンであって、それぞれのアイコンがワークフローシーンのワークフローステージの１つを表示するものであって、前記第１のワークフローステージを表す第１のアイコンと、前記第２のワークフローステージを表示する第２のアイコンとを含む複数のアイコンを表示するステップと、
前記第１のパネルと同時に表示される第２のパネルに前記第１画像ビューを表示するステップと、
前記第１のパネルからの前記第２のアイコンの起動に応答して、前記第１のメタデータを用いてレンダリングされた前記第２のパネルに前記第２の画像ビューを表示するステップと、を備えたことを特徴とするコンピュータによって実施される方法。
【請求項２】
前記ワークフローステージの規定セットが胸郭除去ステージを含む、請求項１に記載の方法。
【請求項３】
前記ワークフローステージの規定セットが血管を通る中心線を選択することを含む、請求項１に記載の方法。
【請求項４】
前記ワークフローステージの規定セットが前記血管の湾曲リフォーマットを表示するステップと前記血管の複数の位置のそれぞれにおいて半径を測定するステップとを備えた、請求項３に記載の方法。
【請求項５】
ワークフローテンプレートを実施する非一時的コンピュータ読み取り可能な記憶媒体であって、
該記憶媒体が、ワークフローステージの規格化セットを含み、各ワークフローステージが、1つ以上の実行されるべき画像処理動作、1つ以上の要求された入力、および各ワークフローステージにおいて発生されるべき1つ以上の出力と、を規定しており、前記ワークフローテンプレートが、プロセッサによって実行されたとき、該プロセッサに動作を遂行させるインストラクションを含んでおり、
前記プロセッサによる動作が、
ネットワーク医療画像形成装置から医療画像データを受け取ること、及び
その医療画像データを前記ワークフローステージを連続的に適用することによって処理して、複数のワークフローステージに対応する複数のシーンを含むワークフローシーンを所定の臨床検査のために発生すること、
を含み、
前記ワークフローステージを適用することが、
前記ワークフローテンプレートの第１のワークフローステージによって要求された１つ以上の入力を用いて前記医療画像データに基づいて１つ以上の第１の動作を遂行して、第１のシーンおよび第１のメタデータをレンダリングすること、
この場合、前記第１のシーンが前記医療画像データの第１の画像ビューを表示しており、および前記ワークフローテンプレートの第２のワークフローステージによって要求された１つ以上の入力を用いて前記医療画像データに基づいて１つ以上の第２の動作を遂行して前記医療画像データの第２の画像ビューを表示する第２のシーンをレンダリングすることを含み、
前記第１のワークフローステージから発生された第１のメタデータはズーミング、ビュー投射、前記第１ステージからのデータ除去、データの定量化、およびビューリフォーマットの少なくとも１つを含む、前記第２のワークフローステージにより前記医療画像データを処理するためのパラメータおよびインストラクションの少なくとも１つを含んでおり、前記第２の画像ビューは、前記第１の画像ビューによって表示される医療画像データとは異なるビューを表示しており、
さらに、第１のパネルにおいて複数のアイコンであって、それぞれのアイコンがワークフローシーンのワークフローステージの１つを表示するものであって、前記第１のワークフローステージを表す第１のアイコンと、前記第２のワークフローステージを表示する第２のアイコンとを含む複数のアイコンを表示することと、
前記第１のパネルと同時に表示される第２のパネルに前記第１画像ビューを表示することと、
前記第１のパネルからの前記第２のアイコンの起動に応答して、前記第１のメタデータを用いてレンダリングされた前記第２のパネルに前記第２の画像ビューを表示することを含む、ワークフローテンプレートを実施する非一時的コンピュータ読み取り可能な記憶媒体。
【請求項６】
前記ワークフローステージの規定セットが胸郭除去ステージを含む、請求項５に記載の非一時的コンピュータ読み取り可能な記憶媒体。
【請求項７】
前記ワークフローステージの規定セットが血管を通る中心線を選択することを含む、請求項５に記載の非一時的コンピュータ読み取り可能な記憶媒体。
【請求項８】
前記ワークフローステージの規定セットが前記血管の湾曲リフォーマットを表示するステップと前記血管の複数の位置のそれぞれにおいて半径を測定するステップとを備えた、請求項７に記載の非一時的コンピュータ読み取り可能な記憶媒体。
【請求項９】
医療画像形成装置からの医療画像データを記憶するための記憶装置と、
前記記憶装置に結合されたワークフロー管理サーバーであって、ワークフローステージの規格化セットを含むワークフローテンプレートを記憶するためのワークフロー管理サーバーと、を備えた医療画像データ処理システムであって、
各ワークフローステージが、1つ以上の実行されるべき画像処理動作、1つ以上の要求された入力、および各ワークフローステージにおいて発生されるべき1つ以上の出力と、を規定しており、前記ワークフローテンプレートが、プロセッサによって実行されたとき、該プロセッサに動作を遂行させるインストラクションを含んでおり、
前記プロセッサによる動作が、
ネットワーク医療画像形成装置から医療画像データを受け取ること、及び
その医療画像データを前記ワークフローステージを連続的に適用することによって処理して、複数のワークフローステージに対応する複数のシーンを含むワークフローシーンを所定の臨床検査のために発生すること、
を含み、
前記ワークフローステージを適用することが、
前記ワークフローテンプレートの第１のワークフローステージによって要求された１つ以上の入力を用いて前記医療画像データに基づいて１つ以上の第１の動作を遂行して、第１のシーンおよび第１のメタデータをレンダリングすること、
この場合、前記第１のシーンが前記医療画像データの第１の画像ビューを表示しており、および前記ワークフローテンプレートの第２のワークフローステージによって要求された１つ以上の入力を用いて前記医療画像データに基づいて１つ以上の第２の動作を遂行して前記医療画像データの第２の画像ビューを表示する第２のシーンをレンダリングすることを含み、
前記第１のワークフローステージから発生された第１のメタデータはズーミング、ビュー投射、前記第１ステージからのデータ除去、データの定量化、およびビューリフォーマットの少なくとも１つを含む、前記第２のワークフローステージにより前記医療画像データを処理するためのパラメータおよびインストラクションの少なくとも１つを含んでおり、前記第２の画像ビューは、前記第１の画像ビューによって表示される医療画像データとは異なるビューを表示しており、
さらに、第１のパネルにおいて複数のアイコンであって、それぞれのアイコンがワークフローシーンのワークフローステージの１つを表示するものであって、前記第１のワークフローステージを表す第１のアイコンと、前記第２のワークフローステージを表示する第２のアイコンとを含む複数のアイコンを表示することと、
前記第１のパネルと同時に表示される第２のパネルに前記第１画像ビューを表示することと、
前記第１のパネルからの前記第２のアイコンの起動に応答して、前記第１のメタデータを用いてレンダリングされた前記第２のパネルに前記第２の画像ビューを表示することを含む、医療画像データ処理システム。
【請求項１０】
医療診断又は処理の形式に関連したワークフローステージの規定セットを含むワークフローテンプレートを記憶するステップであって、各ワークフローステージが、1つ以上の実行されるべき画像処理動作、1つ以上の要求された入力、および各ワークフローステージにおいて発生されるべき1つ以上の出力と、を規定しているステップと、
前記ワークフローテンプレートを、患者の医療画像データに前記ワークフローステージを連続的に適用して、１つ以上のワークフローステージに対応する１つ以上のシーンを有するワークフローシーンを発生するステップであって、
前記ワークフローテンプレートを適用するステップが、
前記ワークフローテンプレートの第１のワークフローステージによって要求された１つ以上の入力を用いて前記医療画像データに基づいて１つ以上の第１の動作を遂行して前記医療画像データの第１の画像ビューを表す第１のシーンをレンダリングし、かつ第１のメタデータを発生するステップと、
前記ワークフローテンプレートの第２のワークフローステージによって要求された１つ以上の入力および前記第１のメタデータを用いて前記医療画像データ上で１つ以上の第２の動作を遂行して前記医療画像データの第２の画像ビューを表す第２のシーンをレンダリングするステップを含んでおり、この場合、前記第１のワークフローステージから発生された前記第１のメタデータは、ズーミング、ビュー投射、前記第１ステージからのデータ除去、データの定量化、およびビューリフォーマットの少なくとも１つを含む、前記第２のワークフローステージにより前記医療画像データを処理するためのパラメータおよびインストラクションの少なくとも１つを含んでおり、前記第２の画像ビューは、前記第１の画像ビューによって表示される医療画像データとは異なるビューを表示しており、
さらに、第１のパネルにおいて複数のアイコンであって、それぞれのアイコンがワークフローシーンのワークフローステージの１つを表示するものであって、前記第１のワークフローステージを表す第１のアイコンと、前記第２のワークフローステージを表示する第２のアイコンとを含む複数のアイコンを表示するステップと、
前記第１のパネルと同時に表示される第２のパネルに前記第１画像ビューを表示するステップと、
前記第１のパネルからの前記第２のアイコンの起動に応答して、前記第１のメタデータを用いてレンダリングされた前記第２のパネルに前記第２の画像ビューを表示するステップと、を備えたことを特徴とする医療画像装置によって発生した医療画像データを処理するための方法。
【請求項１１】
プロセッサによって実行されるとき、該プロセッサに以下の動作を遂行させるようにするインストラクションを提供する、非一時的コンピュータ読み取り可能な記憶媒体であって、
前記プロセッサによる動作が、
ネットワーク医療画像形成装置から医療画像データを受け取ること、及び
その医療画像データを前記ワークフローステージを連続的に適用することによって処理して、複数のワークフローステージに対応する複数のシーンを含むワークフローシーンを所定の臨床検査のために発生すること、
を含み、
前記ワークフローステージを適用することが、
前記ワークフローテンプレートの第１のワークフローステージによって要求された１つ以上の入力を用いて前記医療画像データに基づいて１つ以上の第１の動作を遂行して、第１のシーンおよび第１のメタデータをレンダリングすること、
この場合、前記第１のシーンが前記医療画像データの第１の画像ビューを表示しており、および前記ワークフローテンプレートの第２のワークフローステージによって要求された１つ以上の入力を用いて前記医療画像データに基づいて１つ以上の第２の動作を遂行して前記医療画像データの第２の画像ビューを表示する第２のシーンをレンダリングすることを含み、
前記第１のワークフローステージから発生された第１のメタデータはズーミング、ビュー投射、前記第１ステージからのデータ除去、データの定量化、およびビューリフォーマットの少なくとも１つを含む、前記第２のワークフローステージにより前記医療画像データを処理するためのパラメータおよびインストラクションの少なくとも１つを含んでおり、前記第２の画像ビューは、前記第１の画像ビューによって表示される医療画像データとは異なるビューを表示しており、
さらに、第１のパネルにおいて複数のアイコンであって、それぞれのアイコンがワークフローシーンのワークフローステージの１つを表示するものであって、前記第１のワークフローステージを表す第１のアイコンと、前記第２のワークフローステージを表示する第２のアイコンとを含む複数のアイコンを表示することと、
前記第１のパネルと同時に表示される第２のパネルに前記第１画像ビューを表示することと、
前記第１のパネルからの前記第２のアイコンの起動に応答して、前記第１のメタデータを用いてレンダリングされた前記第２のパネルに前記第２の画像ビューを表示することを含む、非一時的コンピュータ読み取り可能な記憶媒体。